(57)【特許請求の範囲】
【請求項１】
リール本体に対して回転自在に支持され、スプール軸に装着される両軸受リールのスプールであって、
外周に釣り糸が巻き付けられ、かつ凹部が形成された糸巻胴部と、
前記糸巻胴部の両端に設けられたフランジ部と、
基端部が前記凹部の底面に埋設され先端部が前記凹部内において前記釣り糸を係止する釣糸係止部を有する係止ピンとを備え、
前記糸巻胴部は、前記凹部の底面に形成された段付きの貫通孔を有し、
前記係止ピンは、前記先端部が前記基端部より大径になるように形成され、前記基端部を前記貫通孔に挿入したとき前記先端部が前記貫通孔の段部に係止される、両軸受リールのスプール。
【請求項２】
前記釣糸係止部は前記糸巻胴部の外周面より外方に突出しないように設けられている、請求項１に記載の両軸受リールのスプール。
【請求項３】
前記釣糸係止部は前記釣り糸が係止可能な溝部である、請求項１又は２に記載の両軸受リールのスプール。
【請求項４】
前記釣糸係止部は前記釣り糸が係止可能な貫通孔である、請求項１又は２に記載の両軸受リールのスプール。
【請求項５】
前記係止ピンは前記糸巻胴部を貫通している、請求項１から４のいずれかに記載の両軸受リールのスプール。
【請求項６】
前記スプール軸は前記糸巻胴部の貫通孔と連通する係合孔をさらに備え、
前記係止ピンは前記貫通孔及び前記係合孔を挿通している、請求項５に記載の両軸受リールのスプール。
【請求項７】
前記釣糸係止部は前記糸巻胴部の径方向に移動可能である、請求項１から６のいずれかに記載の両軸受リールのスプール。
【請求項８】
前記糸巻胴部の外径は、前記フランジ部の外径の４０％以上である、請求項１から７のいずれかに記載の両軸受リールのスプール。
【発明の詳細な説明】
【０００１】
【発明の属する技術分野】
本発明は、スプール、特に、釣り糸の巻き始め端を係止するための釣糸係止部を有する両軸受リールのスプールに関する。
【０００２】
【従来の技術】
一般に両軸受リールは、ハンドルを有するリール本体と、リール本体に回転自在に装着されたスプールとを備えている。スプールは、糸巻胴部と、糸巻胴部の両端に設けられたフランジ部とを有している。糸巻胴部は外周に釣り糸が巻き付けられる円筒状であり、フランジ部は糸巻胴部の外径よりも大径である。また、糸巻胴部の内周部はスプール軸に装着されている。そして、糸巻胴部外周には、糸巻胴部に巻かれる釣り糸の巻き始め端を係止するための釣糸係止部が設けられている。
【０００３】
釣糸係止部は、たとえば糸巻胴部の略中央部に棒状の係止ピンを立設したものがよく知られている。この係止ピンは、釣り糸を巻き付ける部分が、糸巻胴部の外周面より外方に突出するように設けられている。
【０００４】
【発明が解決しようとする課題】
従来の釣糸係止部は、係止ピンが糸巻胴部の外周面より外方に突出するように設けられているので、釣り糸を糸巻胴部に巻き付けたときに、糸巻き形状に段差を生じやすい。特に、糸巻胴部の外径がフランジ部の外径の４０％以上である浅溝スプールに釣り糸を巻き付ける場合は、釣り糸の全体の巻き付け量が少ないため、糸巻き形状の段差がより際立ってしまう。
【０００５】
本発明の課題は、両軸受リールのスプールにおいて、糸巻胴部に巻き付けられた釣り糸の糸巻き形状の段差を生じにくくすることにある。
【０００６】
【課題を解決するための手段】
発明１に係る両軸受リールのスプールは、リール本体に対して回転自在に支持され、スプール軸に装着される両軸受リールのスプールであって、外周に釣り糸が巻き付けられかつ凹部が形成された糸巻胴部と、糸巻胴部の両端に設けられたフランジ部と、基端部が凹部の底面に埋設され先端部が凹部内において釣り糸を係止する釣糸係止部を有する係止ピンとを備えている。糸巻胴部は、凹部の底面に形成された段付きの貫通孔を有している。係止ピンは、先端部が基端部より大径になるように形成され、基端部を貫通孔に挿入したとき先端部が貫通孔の段部に係止される。
【０００７】
このようなスプールでは、係止ピンは糸巻胴部に形成された凹部に埋設され、この係止ピンの先端部の釣糸係止部に釣り糸を係止している。この場合、釣糸係止部が凹部内に位置しているので、釣糸係止部に係止した釣り糸を糸巻胴部に巻き付けたとき、糸巻き形状に大きな変化を与えにくくなる。したがって、釣糸係止部に係止した釣り糸を巻き付けたときの糸巻き形状の段差を生じにくくすることができる。
【０００８】
発明２に係るスプールは、発明１のスプールにおいて、釣糸係止部は糸巻胴部の外周面より外方に突出しないように設けられている。
【０００９】
この場合は、釣糸係止部が糸巻胴部の外周面より外方に突出しないように設けられているので、釣り糸の係止部分を凹部内に確実に位置させることができる。
【００１０】
発明３に係るスプールは、発明１又は２のスプールにおいて、釣糸係止部は釣り糸が係止可能な溝部である。
【００１１】
この場合は、たとえば係止ピンの先端部の周方向に沿って釣糸係止部である溝部を形成し、この溝部に釣り糸を巻き付けて係止することにより、釣り糸の係止が容易になる。
【００１２】
発明４に係るスプールは、発明１又は２のスプールにおいて、釣糸係止部は釣り糸が係止可能な貫通孔である。
【００１３】
この場合は、貫通孔に釣り糸を係止することにより、釣り糸を確実に係止することができる。
【００１４】
発明５に係るスプールは、発明１から４のいずれかのスプールにおいて、係止ピンは糸巻胴部を貫通している。
【００１５】
この場合は、糸巻胴部と係止ピンとの固定をさらに強固にすることができる。
【００１６】
発明６に係るスプールは、発明５のスプールにおいて、スプール軸は糸巻胴部の貫通孔と連通する係合孔をさらに備え、係止ピンは貫通孔及び係合孔を挿通している。
【００１７】
この場合は、係止ピンを糸巻胴部とスプール軸とに係合させることにより、スプール軸の回り止めを兼用することができる。
【００１８】
発明７に係るスプールは、発明１から６のいずれかのスプールにおいて、釣糸係止部は糸巻胴部の径方向に移動可能である。
【００１９】
この場合は、たとえば釣糸係止部がバネ部材等により外方に付勢されて突出するようにしたり、あるいは係止ピンにねじを形成し糸巻胴部の径方向に釣糸係止部が進退自在な構成にすることにより、釣糸係止部が外方に突出した状態において釣り糸を容易に係止することができる。また、釣糸係止部が外方に突出しない状態で釣り糸を糸巻胴部に巻き付けることにより、糸巻き形状に大きな変化を与えにくくなる。
【００２０】
発明８に係るスプールは、発明１から７のいずれかのスプールにおいて、糸巻胴部の外径は、フランジ部の外径の４０％以上である。
【００２１】
この場合には、糸巻胴部が浅溝化されているので、細い釣り糸をスプールに巻き付けた場合も、巻き癖が生じにくい。
【００２２】
【発明の実施の形態】
本発明の一実施形態を採用した両軸受リールは、図１及び図２に示すように、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻き用のスプール４とを備えている。ハンドル組立体２のリール本体１側には、ドラグ調整用のスタードラグ３が設けられている。
【００２３】
リール本体１は、フレーム５と、フレーム５の両側方に装着された側カバー６と、フレーム５の前方を覆う前カバー７と、上部を覆うサムレスト８とを有している。
【００２４】
スプール４は、図３に拡大して示すように、両側部に皿状のフランジ部４ａと、両フランジ部４ａの間に形成された筒状の糸巻胴部４ｂとを有している。糸巻胴部４ｂの外径はフランジ部４ａの外径の４０％以上になるように形成されており、いわゆる浅溝スプールと呼ばれるタイプのものである。また、スプール４は、糸巻胴部４ｂの内周側において中央部に一体成形された筒状のボス部４ｃを有している。スプール４は、ボス部４ｃを貫通するスプール軸１０に回転不能に固定されている。スプール軸１０は、側カバー６に設けられた軸受により回転自在に支持されている。
【００２５】
糸巻胴部４ｂの中央部には、外形が円形に切削加工された凹部４ｄと、凹部４ｄの底面に凹部４ｄより段階的に小径になるようにボス部４ｃを貫通する貫通孔４ｅとが形成されている。また、スプール軸１０には、貫通孔４ｅと連通する係合孔１０ａが形成されている。そして、貫通孔４ｅ及び係合孔１０ａには、釣り糸を係止する釣糸係止部８０を有する係止ピン７０が挿入されている。
【００２６】
係止ピン７０は、貫通孔４ｅ及び係合孔１０ａに挿入される棒状の基端部７０ａと、基端部７０ａより大径の先端部７０ｂとを有している。基端部７０ａが貫通孔４ｅ及び係合孔１０ａに挿入されたとき、先端部７０ｂが貫通孔４ｅの段付き部分に合致するように形成されている。なお、係合孔１０ａに係止ピン７０を係合させることにより、スプール４に対してスプール軸１０の回り止めを行うことができる。
【００２７】
先端部７０ｂは、釣糸係止部８０として周方向に沿って溝部７１が形成されており、この溝部７１に釣り糸が巻き付けられて係止される。そして、釣糸係止部８０である溝部７１は糸巻胴部４ｂの外周面より内周側に位置するように配置されている。
【００２８】
このようなスプール４では、糸巻胴部４ｂ外周に形成された凹部４ｄ内に配置された係止ピン７０に釣り糸の巻き始め端を係止する。係止ピン７０の先端部７０ｂに形成された釣糸係止部８０である溝部７１に釣り糸を巻き付けて係止する。この場合、釣糸係止部８０が凹部４ｄ内に位置するように取り付けられているので、釣り糸の結び目が糸巻胴部４ｂの外周面より外方に突出することがない。したがって、さらにこの上に釣り糸を巻き付けていったとき、特に浅溝スプールであっても、釣糸係止部８０の影響を受けることがないので、糸巻き形状の段差を生じにくくなる。
【００２９】
〔他の実施形態〕
（ａ）  前記実施形態では浅溝スプールを用いていたが、これに限定されるものではなく、他のあらゆるタイプの両軸受リールのスプールについて本発明を適用できる。
【００３０】
（ｂ）  前記実施形態では、釣糸係止部８０として係止ピン７０の先端部７０ｂに溝部７１を形成していたが、図４に示すように、先端部７０ｂに貫通孔７２を形成してもよい。この場合は、釣り糸の係止が容易になるとともに、確実に係止することができる。
【００３１】
（ｃ）  前記実施形態では、係止ピン７０は糸巻胴部４ｂの略中央部に設けられていたが、これに限定されるものではなく、糸巻胴部４ｂの任意位置に配置可能である。また、糸巻胴部４ｂの凹部４ｄを、多角形や非円形等、任意の形状又は任意の大きさに形成してもよい。
【００３２】
（ｄ）  前記実施形態では、係止ピン７０は糸巻胴部４ｂに固定され、釣糸係止部８０が所定位置に配置されていたが、糸巻胴部４ｂの径方向に釣糸係止部８０が移動可能な構成にしてもよい。たとえば、図５に示すように、基端部７０ａに雄ねじを形成し、糸巻胴部４ｂの貫通孔４ｅ及びスプール軸１０の係合孔１０ａに雌ねじを形成して係止ピン７０を径方向に進退させることにより、釣糸係止部８０を径方向に移動させることができる。また、釣糸係止部８０をバネ部材等の付勢手段により外方に付勢させて突出するようにしてもよい。
【００３３】
【発明の効果】
本発明によれば、釣り糸の巻き始め端を係止する釣糸係止部を糸巻胴部に形成した凹部内に配置することにより、釣糸係止部に係止した釣り糸を糸巻胴部に巻き付けたときの糸巻き形状の段差を生じにくくなる。
【図面の簡単な説明】
【図１】  本発明の一実施形態を採用した両軸受リールの斜視図。
【図２】  前記両軸受リールの断面平面図。
【図３】  前記両軸受リールのスプールの正面断面図。
【図４】  他の実施形態の図３に相当する図。
【図５】  さらに他の実施形態の図３に相当する図。
【符号の説明】
４  スプール
４ａ  フランジ部
４ｂ  糸巻胴部
４ｄ  凹部
４ｅ  貫通孔
１０  スプール軸
１０ａ  係合孔
７０  係止ピン
７０ａ  基端部
７０ｂ  先端部
７１  溝部
７２  貫通孔
８０  釣糸係止部
【図１】
0004307655.tif 000002
【図２】
0004307655.tif 000003
【図３】
0004307655.tif 000004
【図４】
0004307655.tif 000005
【図５】
0004307655.tif 000006